(57)【要約】【課題】連続して温水を噴出することのできる温水洗浄機を提供する。【解決手段】水を加熱する熱源としての耐圧電気ヒーター１７を内蔵した圧力容器４を、高圧ポンプ３と洗浄ガン５との間の洗浄水路２０に配設する。高圧ポンプ３から供給される高圧水を過熱して高圧高温水にし、この高圧高温水を洗浄ガン５より噴出する。従って、連続して必要な温度の温水を噴出することができる。【選択図】　図１
0003097945.tif 000002
【実用新案登録請求の範囲】
【請求項１】
高圧ポンプと洗浄ガンとの間の洗浄水路に圧力容器が介在され、該圧力容器に耐圧電気ヒーターが内蔵され、高圧ポンプから供給された高圧水を加熱して洗浄ガンから高圧高温水を噴出することを特徴とする温水洗浄機。
【請求項２】
高圧ポンプの上流側に水を貯めるタンクが配設され、該タンクの内部には、前記圧力容器が搭載され、その圧力容器の余熱により、前記タンク内の水が加熱されることを特徴とする請求項１記載の温水洗浄機。
【請求項３】
前記タンク、高圧ポンプ及び圧力容器が搭載された洗浄機本体の下部にキャスターが設けられ、該洗浄機本体が移動可能とされたことを特徴とする請求項２記載の温水洗浄機。
【考案の詳細な説明】
【０００１】
【考案の属する技術分野】
この考案は、温水により被洗浄物を洗浄する温水洗浄機に関するものである。
【０００２】
【従来の技術】
従来の温水洗浄機において、温水を作る熱源としては、石油燃料、ガス燃料あるいは電力を利用したものがある。石油燃料あるいはガス燃料を熱源とした温水洗浄機は、温水を高圧噴出することにより、自動車などの水噴射では落ちにくい汚れを落とす温水洗浄機を提供している（例えば、特許文献１参照）。また、電力を熱源とした温水洗浄機は、温水を高圧噴射することにより、食品工場などでの殺菌を兼ねた洗浄する温水洗浄機を提供している（例えば、特許文献２参照）。
【０００３】
【特許文献１】特開平０６―１０６１４１号公報（段落０００４〜段落０００９、図１）
【特許文献２】特開平０９―１２３８７９号公報（段落０００８、図１）
【０００４】
【考案が解決しようとする課題】
ところで、現在の地球上は、工場の排気ガス、自動車の排気ガス、一般の暖房及び給湯の熱源として使用する石油燃料から発生するガス等により、亜硫酸酸化物あるいは窒素酸化物などが充満し、大気が汚染されている。そのため、特許文献１の熱源として利用される石油燃料やガス燃料は、環境の汚染を防ぐ意味から避けるべきである。
【０００５】
また、特許文献２では、貯留された水を加熱し温水にしたものを全て使用してしまうと、再度水を貯めてから電気ヒーターで必要な温度まで加熱する必要性があった。特に、食品工場などで、温水による殺菌を兼ねた洗浄を行う場合は、殺菌に必要な温度まで加熱するのに、相当な時間を要するといった難点があった。また、高圧ポンプの吸入水の限度温度が８０℃のため、高温度の温水を噴射することができなかった。
【０００６】
そこで、本考案は、連続して高温水を噴射することのできる温水洗浄機を提供することを目的としている。
【０００７】
【課題を解決するための手段】
上記目的を達成するため、本考案に係る温水洗浄機は、圧力容器が高圧ポンプと洗浄ガンとの間の洗浄水路に配設する。この圧力容器には、高圧ポンプから供給される高圧水を加熱するための耐圧電気ヒーターが内設されている。それにより、高圧ポンプから圧力容器に供給される高圧水を加熱して高圧高温水にし、洗浄ガンより噴射することを特徴としている。
【０００８】
上記構成によると、食品工場などでの殺菌を兼ねた洗浄などでは、加熱した温水を全て使用しても、再度、水を貯留してから電気ヒーターで必要な温度まで加熱するのに相当な時間を要することなく、また、高圧ポンプの吸入水の限度温度と関係なく、連続して必要な温度の高圧高温水を噴射することのできる温水洗浄機を提供することができる。
【０００９】
また、本考案では、高圧ポンプの下流側に水を貯めておくタンクが設けられている。該タンクには、前記圧力容器が内設されている。これにより、タンクに内接された圧力容器で高圧水を加熱するときに発生する余熱により、タンクに貯留された水を加熱することができる。従って、タンクで加熱し、高圧容器で再度加熱することで、温水の温度を常に高温度に保つことができるので、連続して高圧高温水を提供することができる。
【００１０】
さらに、本考案は、貯水用のタンク、高圧ポンプ及び圧力容器が搭載された温水洗浄気本体の下部に、キャスターを取付けている。従って、温水洗浄機本体が移動可能となる。そのため、食品工場などの殺菌を兼ねた洗浄等において、洗浄する場所にこだわることなく使用することができる移動可能な温水洗浄機を提供することができる。
【００１１】
【考案の実施の形態】
以下、本考案の実施形態を図面に基づいて説明する。図１は本考案の実施形態の温水洗浄機の構成ブロック図、図２は全体の構成図、図３は圧力容器の構造図、図４は全体の正面図、図５は従来の技術の全体の構成図である。
【００１２】
図１、図２に示すように本実施形態における温水洗浄機は、温水洗浄機本体１に水貯蓄用のタンク２と、高圧水を供給駆動する高圧ポンプ３と、高圧水を加熱する圧力容器４及び高圧高温水を噴射させる洗浄ガン５とを備えている。
【００１３】
タンク２は、高圧ポンプ３の上流側に配し、給水部６からの水や温水等を一時的に貯留しておくもので、特に、給水部６が給水状態で、洗浄ガン５に設けられたガンストップ７が動作しているときに、水または温水を一時的に貯留して待機させる場合に役立つ。このタンク２には、フロート８とその上下動により開閉するフロートバルブ９が設けられている。この、フロートバルブ９は周知の技術であって、貯留する水量を一定にすることができる。また、一定の水量を超過した場合は、オーバーフローより排水される。
【００１４】
タンク２の出口側は、高圧ポンプ３の入口側とが洗浄水路２０を介して接続されている。タンク２の出口側部分には、ストレーナー１１が取付けられている。このストレーナー１１は、高圧ポンプ３の故障の原因となるゴミや浮遊物などを濾過している。また、洗浄水路２０には、タンク２の水をポンプドレンに排水するための排水路１２が、ドレンコック１３を介して接続されている。このドレンコック１３を開けることで、洗浄器の使用後のタンク２の余水を容易に排水することができる。
【００１５】
高圧ポンプ３の出口側には、安全弁１４を介して、圧力容器４、アンローダーバルブ２２、洗浄ガン５の順番に接続されている。安全弁１４は、圧力容器４内で規定以上の圧力が係らないように調整するために設けている。そのため、安全弁１４にはタンク２に帰還する帰還流路１５に接続されており、圧力容器４に規定以上の圧力がかかった場合、帰還流路１５に接続された弁を開放し、タンク２に水や温水を循環させる。従って、圧力容器４での過度の圧力負荷が無くなり圧力容器４の故障を防止している。
【００１６】
アンローダーバルブ２２は、入口ポートが一つと出口ポートが二つで構成される三方弁であり、その出口ポートの一つにタンク２に帰還する帰還流路１５が接続されている。従って、アンローダーバルブ２２は、高圧ポンプ３の駆動状態で、洗浄ガン５のガンストップ７が作動した場合、洗浄ガン５のホース部２１の流体圧を感知して弁子をタンク２への帰還流路１５に切り替えるようになっている。これにより、一度圧力容器４ないで加熱された温水が循環するので、タンク２内の水を温めることができる。また、帰還流路１５には、余水ドレンに排水する排水路１２がドレンコック１３を介して接続されている。このドレンコック１３を開けることで、洗浄器の使用後の高圧ポンプ３、圧力容器４及び洗浄ガン５に残った水を容易に排水することができる。
【００１７】
圧力容器４は、図２、図３に示すように、高圧ポンプ３から供給される高圧水を加熱す耐圧電気ヒーター１７と、該耐圧電気ヒーター１７を固定するカバー４ａと、ステンレス鋼で生成されたケース４ｂとから構成され、ユニット化されている。圧力容器４は、高圧ポンプ３から洗浄ガン５までの洗浄水路２０に介在し、前記タンク２に形成された筒状の穴に内設されている。カバー４ａは、耐圧電気ヒーター１７を固定するための保持部である。また、カバー４ａは、該耐圧電気ヒーター１７の電極部１７ａを外部から遮断しており、水または埃などによる電極間のショートなどの故障を防止している。ケース４ｂは、耐圧電気ヒーター１７の有効発熱部１７ｂを覆うように筒状の蓋を形成しており、該カバー４ａと螺合して固定される。ケース４ｂには、高圧ポンプ３から供給される高圧水の入口部４ｃと排出する出口部４ｄが形成され、入口部４ｃから出口部４ｄに至る水流路４ｅで高圧水を加熱することができる。
【００１８】
上記構成により、高圧ポンプ３から供給される高圧水は、圧力容器４に内蔵された耐圧電気ヒーター１７によって加熱することができる。さらに、高圧水を加熱したときに発生する余加熱によって、タンク２に一時的に貯留された水または温水をも加熱することが可能となる。
【００１９】
次に、上記構成による温水洗浄機の水流の経路についての説明をする。タンク２に貯留された水が、ストレーナー１１を通過して高圧ポンプ３に吸入される。この吸入された水は、高圧ポンプ３により高圧水となり、安全弁１４を介して圧力容器４を通る。高圧ポンプ３により供給された高圧水は、この圧力容器４に内設された耐圧電気ヒーター１７によって加熱される。加熱された高圧水は、高圧ポンプ５から供給された圧力で、アンローダーバルブ２２と、サーモスタットとを通って洗浄ガン５より噴出される。なお、加熱される温水の温度は、圧力容器４の下流側に配されたサーモスタット１８によって設定された温度に管理されている。
【００２０】
また、図４に示すように、温水洗浄機本体１には、本体の下部にキャスター１０を取付けている。このキャスター１０により温水洗浄機本体１は、移動が可能となり、洗浄する場所を選ぶことなく使用することができる。そのため、食品工場での使用、特に室内などでの殺菌洗浄に利用することができる。
【００２１】
なお、本考案は、上記実施形態に限定されるものではなく、本考案の範囲内で修正、変更を加えることができる。例えば、耐圧容器をタンクに内設せずに外部に設けてもよい。さらに、タンク用の電気ヒーターを耐圧容器とは別に設けてもよい。また、タンクを脱着自在にすることで、給水源のない洗浄場所においても予備のタンクに水を貯留して置けば、長時間の温水洗浄が可能となる。
【００２２】
【考案の効果】
以上、説明したように、本考案によれば、耐圧電気ヒーターを内蔵した耐圧容器を、高圧ポンプと洗浄ガンとの間に設けることにより、タンクに水を貯留し、必要な温度まで加熱することなく、連続して必要な温度の温水を使用することができる。また、高圧ポンプの吸入水温度の限度と関係なく、高温度の高圧水を噴射することができる。
【００２３】
従って、食品工場などでの殺菌を兼ねた洗浄などでは、必要な温度まで加熱するのに相当な時間を要することなく、連続して必要な温度の高圧高温水を噴射することができる。また、タンクで加熱し、高圧容器で再度加熱することで、温水の温度を常に高温度に保つことができるので、連続して高圧高温水を使用することができる。
【００２４】
さらに、温水洗浄機本体の下部に取付けてあるキャスターにより、移動が可能となるので洗浄する場所を選ぶ必要性がない。すなわち、食品工場での使用、特に室内などでの殺菌洗浄などに使用することができる。
【図面の簡単な説明】
【図１】本考案の実施形態の温水洗浄機の構成ブロック図
【図２】全体の構成図
【図３】圧力容器の構造図
【図４】全体の正面図
【図５】従来の技術の全体の構成図
【符号の説明】
１　　温水洗浄機本体
２　　タンク
３　　高圧ポンプ
４　　圧力容器
５　　洗浄ガン
１０　キャスター
１１　ストレーナー
１４　安全弁
１７　耐圧電気ヒーター
２０　洗浄水路
２１　ホース部
２２　アンローダーバルブ
【図１】
0003097945.tif 000003
【図２】
0003097945.tif 000004
【図３】
0003097945.tif 000005
【図４】
0003097945.tif 000006
【図５】
0003097945.tif 000007